(57)【要約】【課題】フィルタの目詰まりが起こりにくく、給水ポンプも壊れにくいほか、密閉容器は１個だけで済むノロ水の回収濾過装置。【解決手段】ノロ水１２を回収する容器であって、上部は閉じられ、底部にフィルタ５を有する第１容器１と、第１容器１の外部に第１容器１を包含する態様で配置され、第１容器１で濾過された濾過水を溜める密閉された第２容器２とを有し、第１容器１を第１の負圧発生装置３ａに、第２容器２を第２の負圧発生装置３ｂに各々連結し、第１容器１の負圧Ｐ１を第２容器２の負圧Ｐ２より高く設定して、第１容器１の底部のフィルタ５により吸引濾過を行う。【選択図】図１
2007105698.tif 000002
【特許請求の範囲】
【請求項１】
ノロ水を回収する容器であって、上部は閉じられ、底部にフィルタを有する第１容器と、
第１容器の外部に第１容器を包含する態様で配置され、第１容器で濾過された濾過水を溜める密閉された第２容器とを有し、
第１容器を第１の負圧発生装置に、第２容器を第２の負圧発生装置に各々連結し、
第１容器の負圧Ｐ１を第２容器の負圧Ｐ２より高く設定して、第１容器の底部のフィルタにより吸引濾過を行う
ことを特徴とするノロ水の回収濾過装置。
【請求項２】
上記第１容器の内側に更に内側容器を配置し、この内側容器の底部に上記フィルタを設置し、
上記第１容器の底面に多数の貫通孔を設け、この底面に上記フィルタを配置した
ことを特徴とする請求項１に記載のノロ水の回収濾過装置。
【発明の詳細な説明】
【技術分野】
【０００１】
本発明は、岩石、コンクリート穿孔・切削するドリル工具を冷却した冷却水が流れ落ちて汚濁したノロ水を回収して濾過し、再び冷却水として利用するためのノロ水の回収濾過装置に関するものである。
【背景技術】
【０００２】
一般に、岩石、コンクリート等を穿孔するドリル工具は冷却水で冷却されるが、冷却水を有効に再利用するための回収濾過装置が知られている。その装置の１つが特許文献１に示されている。
【０００３】
流れ落ちた冷却水は穿孔屑を含んで汚濁したノロ水となるので、このようなノロ水を再び使用できるようにするためには、濾過する必要がある。従来のノロ水の濾過装置は、給水ポンプでノロ水を吸い上げ、そのままフィルタに押し付けて加圧することにより濾過する技術であった。
【特許文献１】特開平１１−３１１０８３号公報
【発明の開示】
【発明が解決しようとする課題】
【０００４】
しかし、ノロ水を直接に給水ポンプで吸い上げると中に含まれる穿孔屑や粉塵が給水ポンプの構成部品を破損させることがあり、またフィルタは、回収されたノロ水の中に常時漬かっているため、フィルタの目詰まりが起こりやすく、タンクの中には大量のノロ水が残り掃除が大変である。
【０００５】
また、２個以上の気密、液密な密閉容器を必要とするので高価なものにならざるを得なかった。
【０００６】
本発明は、上記問題点を解消し、フィルタの目詰まりが起こりにくく、給水ポンプも壊れにくいほか、気密、液密な容器を１個だけで済ますノロ水の回収濾過装置を提供することをその課題とする。
【課題を解決するための手段】
【０００７】
前記課題を解決するため、請求項１に係る発明は、ノロ水を回収する容器であって、上部は閉じられ、底部にフィルタを有する第１容器と、第１容器の外部に第１容器を包含する態様で配置され、第１容器で濾過された濾過水を溜める密閉された第２容器とを有し、第１容器を第１の負圧発生装置に、第２容器を第２の負圧発生装置に各々連結し、第１容器の負圧Ｐ１を第２容器の負圧Ｐ２より高く設定して、第１容器の底部のフィルタにより吸引濾過を行うことを特徴とする。
【０００８】
請求項２に係る発明は、さらに、上記第１容器の内側に更に内側容器を配置し、この内側容器の底部に上記フィルタを設置し、上記第１容器の底面に多数の貫通孔を設け、この底面に上記フィルタを配置したことを特徴とする。
【発明の効果】
【０００９】
請求項１に係る発明によれば、第１の負圧発生装置および第２の負圧発生装置により各々第１容器および第２容器を負圧にし、第１容器の底面に備えられたフィルタによりノロ水を濾過し回収する。上記第１容器の負圧Ｐ１を上記第２容器の負圧Ｐ２より高く設定することにより、第１容器内のノロ水は底部のフィルタを通り、濾過されて第２容器内に吸引される。
【００１０】
この様な方式とすることにより、第１容器底部の全面にフィルタを設置することができ、従来のパイプの周囲に設ける方式よりフィルタ面積を大きくできるため、目詰まりが起こりにくく濾過能力が向上する。また、第２容器にはノロ水からノロが吸引濾過された濾過水が供給され、第２容器と連結管路で連結されたドリルへ冷却水を供給する供給ポンプは、濾過水のみを送るため、ノロ水自体をフィルタに供給していた従来に比較して壊れにくい。
【００１１】
請求項２に係る発明によれば、第１容器の底面の全面をフィルタとする際のフィルタの強度を確保することができ、従来のパイプの周囲に設けたフィルタより面積を大きくできるため目詰まりが起こりにくく濾過能力が向上する。
【００１２】
また、第１容器に回収されたノロ水のノロは内側容器に回収され、第１容器および第２容器を開放して内側容器を外に出して廃棄等の処理をすることができる。
【００１３】
また、請求項１または２に係る発明によれば、気密、液密な密閉容器は第２容器の１個だけで済むので、コストも低く抑えることができる。
【発明を実施するための最良の形態】
【００１４】
以下、図面によって本発明にかかるノロ水の回収濾過装置を説明する。
【００１５】
図１はノロ水の回収濾過装置の構成概略図である。
第１容器１は、上部は図の部分でシールされ閉じられており、底部にはフィルタ５が設置されている。第１容器１にはドリル等の工具から発生するノロ水１２が回収手段により回収されてくる。
第２容器２は、第１容器１の外部に第１容器１を包含する態様で配置され、上部は図の部分でシールされ閉じられており、第１容器１で濾過された濾過水を溜める密閉された容器となっている。
【００１６】
第１容器１、第２容器２は各々負圧発生装置３ａ、３ｂに連結されている。ノロ水１２の回収動作を開始する際は、まず、負圧発生装置３ａ、３ｂを運転し、第１容器１、第２容器２を負圧状態にして、ドリル等の工具から発生するノロ水を第１容器に回収する。すると、第１容器１の底部にノロ水１２が溜まり、ノロ水１２によって第１容器１が気密状態となる。第２容器２は元々気密、液密となっているため、この状態で第１容器１の内圧をＰ１、第２容器２の内圧をＰ２(ともに負圧)に調整する。この際、大気圧＞Ｐ１＞Ｐ２とする。これにより、第１容器１に回収されたノロ水１２は、底部のフィルタ５を通り、濾過されて第２容器２内に吸引される。
【００１７】
第２容器２底部には、給水ポンプ１１が連結されており、第２容器２に溜まった濾過水は、給水ポンプ１１にて再び穿孔現場に戻され、接続機器に供給される。
【００１８】
このような構成とすることにより、第１容器１の底部の全面にフィルタ５を設置することができ、従来のパイプの周囲に設ける方式よりフィルタ面積を大きくできるため、フィルタ単位面積あたりのノロ水通過量が減少し、目詰まりが起こりにくく濾過能力が向上する。また、第２容器２にはノロ水１２からノロが吸引濾過された濾過水が供給され、第２容器２と連結管路で連結されたドリルへ冷却水を供給する供給ポンプ１１は、濾過水のみを送るため、上澄みではあってもノロ水１２自体を供給する従来方式に比較して壊れにくい。さらに、気密、液密を必要とする密閉容器は、第２容器２の１個だけで済むのでコストも低く抑えることができる。
【００１９】
次に図２、図３により別のノロ水の回収濾過装置について説明する。
【００２０】
図２はノロ水の回収濾過装置の側面図である。図３は図２のＡ−Ａ線上の断面図である。
図３において、第１容器１は、第１容器用供給口７を通してノロ水１２を回収する容器であり、第１容器の内部にさらに内部容器４を備えている。ノロ水１２は、この内部容器４に供給される。内部容器４の底部には、底面全面にフィルタ５が設置されていて、フィルタ５が多数の貫通孔６を設けた第１容器の底面の上にほぼ接する位置に内部容器４が配置されている。内部容器４は、第２容器２の天板１４にバネ１５で吊り下げられている。
【００２１】
第１容器１は、上部がシールされており、下部は底面に多数の貫通孔が設けられている。そして第１容器１は上部の第１容器用負圧口８を介して第１の負圧発生装置（図示せず）に連結されていて、ノロ水が供給された状態で気密となる。
【００２２】
内部容器４は、ノロ水が濾過された結果フィルタ５に付着したノロを均したり、廃棄したりするための装置である。
【００２３】
第２容器２は、第１容器１の外部に第１容器１を包含する態様で配置され、密閉された容器となっている。
第２容器２は、側面の第２容器用負圧口９を介して第２の負圧発生装置（図示せず）に連結されている。さらに、第２容器２は、底部の第２容器用送給口１０を介して供給ポンプ（図示せず）に連結されている。
【００２４】
さらに、第２容器２の底部には、スクリュー１３が設置されている。スクリュー１３は、上部で第１容器１の底板と、下部で第２容器２の底板と連結されていて、第２容器２の底面の下部から専用の回転機器（図示せず）でスクリュー１３を回転させることにより、第１容器１を上下動させることができるようになっている。
【００２５】
次に、このノロ水の回収濾過装置の作動形態を説明する。
第１及び第２の負圧発生装置により第１容器１内を負圧にして、ノロ水１２を内部容器４に供給する。すると第１容器内は気密となるため第１の負圧発生装置により第１容器１内の負圧をＰ１とし、第２の負圧発生装置により第２容器２内の負圧をＰ２とする。大気圧＞Ｐ１＞Ｐ２であるため、Ｐ１とＰ２の差圧により第１容器１内の内部容器４に供給されたノロ水１２は、フィルタ５、さらに、貫通孔６を通って第２容器に吸引濾過される。
【００２６】
本装置においては、第１容器１の底面に多数の貫通孔６を設けることで、フィルタを通過する濾過水の流量を確保しつつ、フィルタの剛性を補強してノロ付着によるフィルタの変形を防止できるため、広い面積のフィルタの使用が可能となり、濾過効率が向上し、目詰まりしにくくなる。
【００２７】
第２容器に吸引濾過された濾過水は、底部の第２容器用送給口１０を介して連結されている供給ポンプ（図示せず）により、再び穿孔現場に戻され接続機器に供給される。給水ポンプは濾過水のみを送ることになるため壊れにくい。
【００２８】
また、ノロ水の回収濾過装置の作動中に、第１容器１の底面と第２容器２の濾過水上面との間に所定空間部を設けて、ノロ水が濾過しやすいように第２容器２の下部から専用の回転機器（図示せず）でスクリュー１３を回転させ、図示しないセンサによって前記所定空間部の間隔を検出しながら第１容器１を上下動させる。また、第１容器１を上下に揺動させてフィルタ５上に堆積したノロを均一に散らすことで、ノロの局所的な堆積による濾過能力の低下を回復させることができ、さらに目詰まりしにくくなる。
【００２９】
ノロ水の回収濾過によりフィルタ５に堆積したノロを廃棄等する場合は、第２容器２の天板１４を開放して、内部容器４のみを引き上げて外部に出し、容易にノロの廃棄、フィルタ５の交換等を行うことができる。
【００３０】
本装置においても気密、液密を必要とする密閉容器は、第２容器２の１個だけで済むのでコストも低く抑えることができる。
【００３１】
また、実施例では第１容器１用の第１の負圧発生装置（図１の３ａ）と、第２容器２用の第２の負圧発生装置（同３ｂ）を別々に設けて説明したが、第１容器１、第２容器２を１個の負圧発生装置に連結し、その連結路にバルブ等を設け、それぞれタイミングをずらして負圧制御させる方法でも良い。
また、実施例ではフィルタ５を第１容器１の底面上部に設けているが、底面下部側にフィルタ装着部を設けた構成にしても良い。
【図面の簡単な説明】
【００３２】
【図１】ノロ水の回収濾過装置の構成外略図である。
【図２】ノロ水の回収濾過装置の側面図である。
【図３】図２のＡ−Ａ線上の断面図である。
【符号の説明】
【００３３】
１    第１容器
２    第２容器
３ａ、３ｂ    負圧発生装置
４    内部容器
５    フィルタ
６    貫通孔
７    第１容器用供給口
８    第１容器用負圧口
９    第２容器用負圧口
１０  第２容器用送給口
１１  供給ポンプ
１２  ノロ水
１３  スクリュー
１４  天板
１５  バネ
【図１】
2007105698.tif 000003
【図２】
2007105698.tif 000004
【図３】
2007105698.tif 000005